(57)【要約】  生体試料分析に使用する生体試料希釈液の調製のための容器の提供。開口部、第一の底部、該容器の内側壁上に形成された第二の底部、および該容器の内側壁上に、該第二の底部から上方に向かって形成された溝を備え、該溝は、該第二の底部の幅と同じサイズの一定の幅を有するか、もしくは下端の幅は該第二の底部の幅と同じサイズでかつ上方に向かって幅広くなっている、検体希釈用容器。
2016080509.tif 000002
【特許請求の範囲】
【請求項１】
検体希釈用容器であって、
上方に開口した開口部、
第一の底部、
該容器の内側壁上に形成された第二の底部、および
該容器の内側壁上に、該第二の底部から上方に向かって形成された溝
を備え、
該溝は、該第二の底部の幅と同じサイズの一定の幅を有するか、もしくは下端の幅は該第二の底部の幅と同じサイズでかつ上方に向かって幅広くなっている、
検体希釈用容器。
【請求項２】
前記第二の底部が形成された側壁と対向する側壁の上端部に形成された、開口された窓をさらに備える、請求項１記載の検体希釈用容器。
【請求項３】
前記第二の底部の幅および奥行が、それぞれ１〜３ｍｍである、請求項１又は２のいずれか１項記載の検体希釈用容器。
【請求項４】
前記開口部を閉じるための蓋部をさらに備える、請求項１〜３のいずれか１項記載の検体希釈用容器。
【請求項５】
前記蓋部が、前記検体希釈用容器に液体を注入するための注入管が通過するための孔、または該注入管が穿刺可能な膜を有する、請求項４記載の検体希釈用容器。
【請求項６】
前記検体希釈用容器をラックに留めるための係合部材をさらに備える、請求項１〜５のいずれか１項記載の検体希釈用容器。
【発明の詳細な説明】
【技術分野】
【０００１】
本発明は、生体試料分析のための検体希釈用容器に関する。
【背景技術】
【０００２】
血液試料を短時間で分析することのできる自動血液分析装置が、種々開発および実用化されている。しかしながら、血液は、採取されたものをそのまま分析するのではなく、希釈されたあとに各種分析に使用されるのが通常である。さらに、精度の良い分析のためには、血液を所望の濃度へと正確に希釈するため、血液と希釈用溶液とを充分に混合することが必要である。したがって、自動血液分析装置は、血液と希釈用溶液とを混合または攪拌するための手段を備えていることが望ましい。例えば、特許文献１には、血液試料を希釈するための、上部に希釈用溶液供給用の注液口を、底部に液体を攪拌するためのエアを注入するための注気口を備え、内壁が粗面化されている液体混合用容器が開示されている。また特許文献２には、容器に血液などの検体と希釈液とを吐出し、液体分注手段を用いて容器中の液体を繰り返し吸引・吐出することにより、検体を希釈混合するシステムが開示されている。特許文献３には、底部に試薬収納部、および側壁の一部に傾斜体壁をもつポケットが設けられている遠心攪拌用キュベットが開示されている。
【先行技術文献】
【特許文献】
【０００３】
【特許文献１】特開２００３−１６１６７５号公報
【特許文献２】特開平１０−６２４３２号公報
【特許文献３】特開平４−３４８２５０号公報
【発明の概要】
【発明が解決しようとする課題】
【０００４】
このような血液などの生体試料の希釈液の調製において、生体試料が滴下される位置が、容器底部、容器内側壁上などさまざまであると、生体試料の滴下位置によっては生体試料と希釈用溶液とが充分に混合されないことがあった。本発明は、生体試料分析に使用する生体試料（検体）の希釈液を調製するための手段の提供を課題とする。
【課題を解決するための手段】
【０００５】
本発明は、上記課題を解決するため、微量な液体生体試料と希釈用溶液との混合を簡便に行うことができる検体希釈用容器を提供する。【０００６】
すなわち、第一の態様として、本発明は、検体希釈用容器であって、
上方に開口した開口部、
第一の底部、
該容器の内側壁上に形成された第二の底部、および
該容器の内側壁上に、該第二の底部から上方に向かって形成された溝
を備え、
該溝は、該第二の底部の幅と同じサイズの一定の幅を有するか、もしくは下端の幅は該第二の底部の幅と同じサイズでかつ上方に向かって幅広くなっている、
検体希釈用容器を提供する。【０００７】
一実施態様において、本発明の検体希釈用容器は、上記第二の底部が形成された側壁と対向する側壁の上端部に形成された、開口された窓をさらに備える。【０００８】
一実施態様において、本発明の検体希釈用容器の第二の底部の幅および奥行は、それぞれ１〜３ｍｍである。【０００９】
一実施態様において、本発明の検体希釈用容器は、上記開口部を閉じるための蓋部をさらに備える。さらなる実施態様において、該蓋部は、上記検体希釈用容器に液体を注入するための注入管が通過するための孔、または該注入管が穿刺可能な膜を有する。【００１０】
一実施態様において、本発明の検体希釈用容器は、該容器をラックに留めるための係合部材をさらに備える。【００１１】
別の態様として、本発明は、上記検体希釈用容器の第二の底部上に生体試料を滴下することと、生体試料を滴下した該容器内に希釈用溶液を注入することとを含む、生体試料の希釈液の調製方法を提供する。
【発明の効果】
【００１２】
本発明によれば、生体試料が容器の特定の位置に滴下されることによって、微量な生体試料の均質な希釈液を簡便に調製することができる。したがって、本発明は、微量な生体試料を用いた生体試料分析において、高精度な分析結果を得ることを可能にする。
【図面の簡単な説明】
【００１３】
【図１】本発明の検体希釈用容器の一実施態様。（ａ）上面斜視図、（ｂ）下面斜視図。
【図２】（ａ）図１に示す本発明の検体希釈用容器の前面図。（ｂ）蓋部の上面図。
【図３】（ａ）−（ｂ）本発明の検体希釈用容器の一実施態様；（ａ）図２ａのA−A線における断面図、（ｂ）図３ａのB−B線における断面図。（ｃ）−（ｄ）本発明の検体希釈用容器の別の一実施態様；（ｃ）縦断面図、（ｄ）図３ｃのB−B線における断面図。（ａ）−（ｄ）とも、破線は容器の垂直方向を示す。
【図４】図１に示す本発明の検体希釈用容器の後面図。破線は容器の垂直方向を示す。
【図５】本発明の検体希釈用容器に血液試料を滴下する操作の概念図。
【図６】本発明の検体希釈用容器内の血液試料を希釈する操作の概念図。
【発明を実施するための形態】
【００１４】
本発明の検体希釈用容器は、血液検査等の生体試料分析のための検体希釈液を調製するための容器である。より詳細には、本発明の検体希釈用容器は、生体試料分析の測定に供する試料として用いる、生体試料の希釈液を調製するための容器である。本発明の検体希釈用容器で希釈される生体試料（すなわち検体）としては、血液、血清、血漿、唾液、尿等の体液、糞便や吐物の溶解液もしくは懸濁液、動植物の組織や細胞などの溶解液もしくは懸濁液などの液体の生体試料が挙げられる。
【００１５】
本発明の検体希釈用容器は、開口部を備えた、底（第一の底部）を有する容器であって、さらに該容器の内側壁上に形成された第二の底部を備える。該第二の底部は、希釈用溶液で希釈される前の生体試料を保持するための試料保持部である。上述した生体試料を該第二の底部上に滴下すると、該生体試料は該第二の底部上から流出することなくそこに保持される。次いで、該生体試料を保持した該容器に、該生体試料の希釈用溶液を該第二の底部が設けられた側壁の方向に注入すると、該生体試料と該希釈用溶液とが充分に混合されて、均質な生体試料の希釈液が調製される。該第二の底部（試料保持部）に生体試料を滴下することにより、該第二の底部以外の場所に生体試料を滴下した場合、例えば、第一の底部に生体試料を滴下した場合と比べて、生体試料と希釈用溶液との混合が促進されて、より均質な生体試料の希釈液を得ることができる。
【００１６】
本発明の検体希釈用容器のサイズは、注入する希釈用溶液の量に応じて適宜変更することができるが、好ましくは、高さが３０〜５０ｍｍ程度、最大内径が１０〜２０ｍｍ程度で、２５０〜５００μＬ程度の液体を混合または攪拌して希釈液を調製することができる容量を有する。好ましくは、本発明の容器は、円筒形、逆円錐形、漏斗形、またはそれらを組み合わせた形状である。また好ましくは、本発明の容器は自立型容器であり得、例えば、自立するための脚部を有していてもよい。
【００１７】
本発明の検体希釈用容器の開口部は、容器上方に開口している。本明細書において、容器の上および下とは、それぞれ、第一の底部を下にして容器を立てたときの上側および下側をいう。本発明の容器の開口部のサイズは、上記第二の底部に生体試料を滴下するためまたは希釈用溶液などの液体を注入するための注入管（ニードル、ノズル、キャピラリ、ピペットチップなどを含む）を挿入することができるサイズであれば、特に限定されないが、好ましくは内径１０〜２０ｍｍ程度である。本発明の検体希釈用容器の第一の底部は、平底であっても丸底であっても、それらを組み合わせた形状であってもよい。
【００１８】
本発明の検体希釈用容器の第二の底部は、該本発明の容器の内側壁上に形成された面である。該第二の底部は、実質的に平面であることが好ましいが、曲面であってもよい。該第二の底部が実質的に平面である場合、該平面は、実質的に傾斜していない面であることが好ましいが、実質的に傾斜した面であってもよい。本明細書において、傾斜していない面とは、本発明の容器の垂直方向と直交する面（または容器を垂直に立てたときに実質的に水平になる面）をいい、傾斜した面とは、本発明の容器の垂直方向と直交しない面をいう。また本明細書において、本発明の容器の垂直方向とは、該容器の第一の底部から開口部へ向かう該容器の長軸方向をいう。言い換えると、傾斜していない面は、本発明の容器の垂直方向に対して９０°の角度で交わる面である。好ましくは、実質的に傾斜した面は、本発明の容器の垂直方向に対して６０°以上９０°未満の角度で交わり、かつ該容器の内壁側がより高くなっている斜面である。該第二の底部が曲面である場合、該曲面は、上述した実質的に傾斜した面であって、但し全体が凸面もしくは凹面をなす面であることが好ましい。
【００１９】
上記第二の底部を構成する面の形状としては、特に限定されないが、例えば、該容器の内側に開いた半円弧状、Ｕ字状、Ｖ字状、台形状などが挙げられる。該第二の底部を構成する面のサイズは、１〜１０μＬの生体試料を保持できるサイズであればよいが、好ましくは、幅（W1）が１〜３ｍｍ、例えば１〜２ｍｍまたは２〜３ｍｍであり、奥行（D1）が１〜３ｍｍ、例えば１〜２ｍｍまたは２〜３ｍｍである。より好ましくは、幅（W1）が１〜２ｍｍ、かつ奥行（D1）が１〜２ｍｍまたは２〜３ｍｍであるか、または幅（W1）が２〜３ｍｍ、かつ奥行（D1）が１〜２ｍｍまたは２〜３ｍｍである。本明細書において、第二の底部を構成する面の幅（W1）とは、該面と容器の内壁表面とが接する２点を結んだ直線の長さであり、第二の底部を構成する面の奥行（D1）とは、該直線と直交する方向での該面の最大長である。
【００２０】
上記第二の底部は、上記第一の底部より上、かつ所望の希釈倍率になるよう注入される希釈用溶液全量の液面よりも下に形成される。好ましくは、上記第一の底部より上、かつ希釈用溶液などを注入するための注入管の吐出口よりも下に、さらに好ましくは、該第一の底部より３〜５ｍｍ程度上に形成される。
【００２１】
本発明の検体希釈用容器は、その内側壁上に、上記第二の底部から容器上方に向かって形成された溝をさらに備える。より詳細には、該溝は、該第二の底部を基底として、本発明の容器の内側壁上を該容器の垂直方向に沿って延びる溝であり、該容器の内側に開口しており、内側面に対して凹である。したがって好ましくは、該溝の形状は、該第二の底部に対応する形状、例えば、半円弧状、Ｕ字状、Ｖ字状、台形状などであり得る。該溝は、該第二の底部に生体試料を滴下する際に、該第二の底部を視認しやすくし、かつ生体試料の滴下のための注入管の先端を該第二の底部へ到達させることを容易にする。
【００２２】
上記溝は、上記第二の底部の幅と同じサイズの一定の幅を有してもよいが、その下端の幅が該第二の底部の幅と同じサイズで、かつ上方に向かって幅広くなっていてもよい。例えば、該溝の幅（W2）は、下端から上端まで一定で、かつ該第二の底部の幅と同じく、好ましくは１〜３ｍｍ、例えば１〜２ｍｍまたは２〜３ｍｍであり得る。また例えば、該溝の幅（W2）は、下端では該第二の底部の幅（W1）と同じ、好ましくは１〜３ｍｍ、より好ましくは１〜２ｍｍであり、上方に向けて徐々に広がり、上端では、好ましくは１ｍｍ超〜５ｍｍ、より好ましくは２ｍｍ超〜５ｍｍであり得る。また例えば、該溝の幅（W2）は、下端では該第二の底部の幅（W1）と同じ、好ましくは２〜３ｍｍであり、上方に向けて徐々に広がり、上端では、好ましくは２ｍｍ超〜６．５ｍｍ、より好ましくは３ｍｍ超〜６．５ｍｍであり得る。
【００２３】
一方、上記溝は本発明の容器の垂直方向に沿って形成されているため、該溝の長さおよび深さは、本発明の容器の形状や内壁の厚みに依存して変動し得る。例えば、本発明の容器の形状が逆円錐形や漏斗形であれば、溝は上方にいくほど徐々に浅くなり、最終的に消滅することがある。一方で、本発明の容器の形状が円筒形の場合、該溝の深さは一定であり得る。また、容器の形状が円筒形の場合、該溝は開口部まで続いていてもよいが、容器の上から該第二の底部が視認でき、かつ生体試料の滴下のための注入管の先端が該第二の底部へ到達できる限りにおいて、開口部の下１０〜２０ｍｍまたはそれより下の位置までで終わっていてもよい。
【００２４】
好ましい実施態様において、本発明の検体希釈用容器は、上記第二の底部が形成された側壁と対向する側壁の上端部に形成された、開口された窓をさらに備える。好ましくは、該窓には上縁がなく、上記本発明の容器の開口部とつながった一連の開口部を形成する。該窓により、注入管から生体試料を滴下する際に、操作者は該第二の底部を視認しやすくなり、生体試料の滴下が容易になる。該窓の形状は、四角形、台形、半円形などが挙げられるが、容器の上から該第二の底部が視認できる限り、これらに限定されない。該窓のサイズは、やはり該第二の底部が視認できる限り特に限定されず、かつ本発明の容器の形状によって変動し得るが、好ましくは、幅（W3）および高さ（H）の最大値がそれぞれ７〜１５ｍｍ、より好ましくは７〜１０ｍｍである。本明細書において、窓の高さ（H）とは、本発明の容器の垂直方向での最大長であり、窓の幅（W3）とは、該高さ方向と直交する方向での最大長である。
【００２５】
好ましい実施態様において、本発明の検体希釈用容器は、上記開口部を閉じるための蓋部をさらに備える。該蓋部の種類としては、キャップ、スクリューキャップ、リッドなどが挙げられる。好ましくは、該蓋部は、本発明の容器の内部への希釈用溶液などの液体を注入するための注入管の挿入が可能になるように、該注入管が通過する面に、穴やスリットを有し得る。該穴やスリットは、注入管が通過できるサイズおよび形状であれば、特に限定されない。あるいは、該蓋部は、注入管が通過する面に、該注入管が穿刺可能な膜を有していてもよい。
【００２６】
好ましい実施態様において、本発明の検体希釈用容器は、該容器をラックに留めるための係合部材をさらに備える。該係合部材の形状、サイズや本発明の容器上での配置は、該係合部材により本発明の容器をラックに安定に固定できる限り特に限定されない。例えば、該係合部材は、本発明の容器の外面に設けられた突起やフックなどである。好ましくは、係合部材は、本発明の容器の長軸方向に沿って外壁に設けられた細長い突起である。該係合部材を用いてラックに留めた本発明の容器は、ラックに対して所定の向きに配置されるので、このラックを分析装置の所定の位置にセットすれば、該装置中で、本発明の容器を所定の向きに配置することが可能になる。
【００２７】
好ましい実施態様において、本発明の検体希釈用容器および係合部材の材料としては、ポリプロピレン、ポリエチレン、ポリスチレン、ポリメタクリル酸メチル樹脂、ポリエチレンテレフタレート、ポリアミド、ポリブチレンテレフタレート、ポリアセタールなど、およびそれらの組み合わせが挙げられる。好ましくは、本発明の容器および係合部材は、射出成形により形成される。該蓋部および係合部材は、本発明の容器と一体的に形成されても、別々に形成した後で連結されてもよい。好ましくは、該係合部材は、本発明の容器と一体的に形成される。
【００２８】
好ましい実施態様において、本発明の検体希釈用容器の蓋部の材料としては、直鎖状低密度ポリエチレン、ポリプロピレン、高密度ポリエチレン、低密度ポリエチレン、ポリアミド、ポリアセタールなど、およびそれらの組み合わせが挙げられる。該蓋部の注入管通過面の材料としては、好ましくは、直鎖状低密度ポリエチレン、ポリプロピレン、高密度ポリエチレン、低密度ポリエチレン、ポリアミド、ポリアセタールなど、およびそれらの組み合わせが挙げられる。該蓋部の膜の材料としては、好ましくは、直鎖状低密度ポリエチレン、ポリプロピレン、高密度ポリエチレン、低密度ポリエチレン、ポリアミド、ポリアセタールなど、およびそれらの組み合わせが挙げられる。また該膜は、注入管により容易に穿刺され得る薄層であることが好ましい。好ましくは、該蓋部および膜は、射出成形により形成される。
【００２９】
本発明の検体希釈用容器への生体試料の滴下は、手動で行われるのが好ましい。一例として、操作者が片手で本発明の検体希釈用容器を保持しながら、ピペット等で生体試料を添加する使用法が挙げられる。その場合、上記開口部または窓から上記第二の底部を視認できるような任意の角度で、本発明の容器を保持することができる。
【００３０】
本発明の検体希釈用容器への希釈用溶液の注入は、手動で行われても、自動で行われてもよい。希釈用溶液の注入の際は、希釈用溶液を注入するための注入管の吐出口が、第二の底部の方向を向いていることが好ましい。本発明の容器への希釈用溶液の注入を自動で行う場合、横穴のニードルを用いた第二の底部への希釈用溶液の吐出が例示できる。また、本発明の容器への希釈用溶液の注入を自動で行う場合、本発明の容器を収めたラックに、該容器の移送装置や希釈用溶液注入装置により認識されるための標識が施されていることが好ましい。
【００３１】
本発明の検体希釈用容器を用いて調製された生体試料（検体）の希釈液は、そのまま通常の分析装置にセットされて分析にかけることができる。より好ましくは、本発明の検体希釈用容器は、生体試料を入れられた状態で分析装置にセットされ、分析装置内で生体試料の希釈液の調製から分析までの一連の工程が自動または半自動で行われる。本発明の検体希釈用容器により調製された生体試料の希釈液は、高速液体クロマトグラフィー装置、生化学自動分析装置、血球計数装置、フローサイトメトリー、フローインジェクション装置、粒径測定装置などの各種生体試料分析に適用することができる。
【実施例】
【００３２】
以下に図面を参照しながら本発明の態様を更に詳しく説明するが、図面に示された本発明の実施態様は、あくまで本発明を例示するものであり、本発明はこれら実施態様にのみ限定されるものではない。本発明は、説明した実施態様により直接的に示されるものに加え、特許請求の範囲内で当業者によりなされる各種の改良・変更を包含するものであることは言うまでもない。【００３３】
図１に、本発明の検体希釈用容器の一実施態様を示す。図１ａおよびｂはそれぞれ、本発明の検体希釈用容器１の上面斜視図および下面斜視図である。図１に示す検体希釈用容器１は、下部が漏斗形、上部が円筒形の容器であり、上方に開口する開口部２を備える。開口部２からは、生体試料または希釈用溶液注入用の注入管が容器１の内部に挿入される。容器１の外壁には、本発明の容器の長軸方向に沿って係合部材３が設けられている。容器１は、脚部４によって自立することができる。【００３４】
図２ａは、本発明の検体希釈用容器１の前面図を、図２ｂは、該容器１の蓋部５の一実施態様を示す。蓋部５は、生体試料の希釈用溶液を注入するための注入管が通過可能な穴５１を有する。図３ａおよび図３ｂは、図２ａのA−A線で容器１を切断した断面図、および図３ａのB−B線で容器１を切断した断面図をそれぞれ示す。図３ａに示すとおり、容器１は、ほぼ平底である第一の底部６を備える。また図３ａには、容器１の内側壁上に設けられた第二の底部７、およびそこから上方に延びる溝８の側面断面図が示されている。一方、図３ｂには、第二の底部７および溝８の正面図が示されている。図３ａ、ｂに示す第二の底部７は、水平な平面であり、溝８は、第二の底部７を基底とする上方に向かって幅広くなる溝である。溝８は、下端が最も深く、上方に向かって次第に浅くなり、最終的には消滅している。【００３５】
図３ｃおよび図３ｄは、本発明の検体希釈用容器１の別の一実施態様の断面図を示す。図３ｃは容器１の縦断面図を、図３ｄは、図３ｃのB−B線で容器１を切断した断面図を示す。図３ｃに示すとおり、容器１は、ほぼ平底である第一の底部６を備える。容器１の内側壁上に設けられた第二の底部７は水平な平面であり、溝８は、第二の底部７を基底とする上方に向かって幅広くなる溝である。【００３６】
図４は、本発明の検体希釈用容器１の後面図を示す。図４には、容器１の側壁の上端部に設けられた窓９が示されている。窓９は、図２ａに示すとおり、第二の底部７が設けられた側壁と対向する側壁に設けられている。図４に示す窓９は、容器１の上端で開口部２と連続している、上縁のない窓である。【００３７】
図５は、本発明の検体希釈用容器１の第二の底部７に血液試料を滴下する操作の概念図である。操作者は、ピペッティングにより第二の底部７に血液試料１００を滴下する。ピペットチップ１０１は、開口部２から挿入され、その先端は第二の底部７に到達する。その際、窓９と溝８の存在により、操作者は、容器１の上部から第二の底部７の位置を容易に認識することができる。また溝８の存在により、ピペットチップ１０１の先端を第二の底部７に容易に到達させることができる。【００３８】
図６は、本発明の検体希釈用容器１内の血液試料を希釈する操作の概念図である。最初に、血液試料１００は、容器１中の第二の底部７に滴下されている。次いで、希釈用溶液１０３を注入するための注入管１０２を開口部２から容器１内へ挿入する。注入された希釈用溶液１０３は、第二の底部７から血液試料１００を洗い流す。希釈用溶液中に流れ出した血液試料１００は希釈用溶液と充分に混合されて、均質な血液試料の希釈液１０４が調製される。【００３９】
試験１
本発明の検体希釈用容器１を用いて、３μＬの血液試料から用手法または自動分析装置により希釈液を調製した。表１は、調製した血液希釈液をＨＰＬＣ法により分析して得られた、ヘモグロビンＡ０のピークエリア値である。用手法による希釈では、ピペットチップを用いて、希釈用溶液３００μＬを第二の底部７上の血液試料の方向に吐出し、さらに吐出した希釈用溶液と血液の混合物を５回吸引・吐出し、充分に撹拌した。上記自動分析装置は、希釈用溶液の注入管として横穴ニードルを具備し、検体希釈用容器１に設けられた係合部材３により検体希釈用容器１の向きが固定されることから、該横穴ニードルは第二の底部７の方向に希釈用溶液を吐出する。該自動分析装置による希釈では、容器１の第一の底部６、第二の底部７、または第二の底部７に対向する側壁に血液を滴下し、次いで、該横穴ニードルから第二の底部７の方向に希釈用溶液を吐出し、さらに吐出した希釈用溶液と血液の混合物を５回吸引・吐出し、充分に撹拌した。【００４０】
【表１】
2016080509.tif 000003
【００４１】
希釈用溶液の注入管として横穴ニードルを具備する自動分析装置を用いた場合、血液試料を第二の底部７に滴下した群のみ、用手法による希釈と同等のピークエリアを示し、血液と希釈用溶液が充分に混合された適正な濃度の希釈液が調製されたことが示された。一方で、第一の底部６、または第二の底部７に対向する側壁に血液を滴下した群においては、用手法による希釈より低いピークエリアを示し、血液と希釈用溶液が充分に混合されなかったことにより希釈液の濃度が低下していたことが推定された。これらの結果から、横穴ニードルを具備する自動分析装置において、第二の底部７に滴下した場合に、均質な血液希釈液が得られたことが示された。
【符号の説明】
【００４２】
１      検体希釈用容器
２      開口部
３      係合部材
４      脚部
５      蓋部
５１    穴
６      第一の底部
７      第二の底部（試料保持部）
８      溝
９      窓
１００  血液試料
１０１  ピペットチップ
１０２  注入管
１０３  希釈用溶液
１０４  希釈液
【図１】
2016080509.tif 000004
【図２】
2016080509.tif 000005
【図３】
2016080509.tif 000006
【図４】
2016080509.tif 000007
【図５】
2016080509.tif 000008
【図６】
2016080509.tif 000009
【国際調査報告】
2016080509.tif 000010
2016080509.tif 000011
2016080509.tif 000012
2016080509.tif 000013